(57)【要約】【課題】電熱ヒータのカルキ付着を防止して清掃頻度を低減させた温水タンクを提供する。【解決手段】給水弁２３を開いてタンク本体２１に供給された飲用水を電熱ヒータ２２で加熱し、上限水位と下限水位との間に保って貯留している湯を、給湯弁２５を開いて供給する温水タンク２０において、少なくとも電熱ヒータ２２における上限水位と下限水位との間を水位変動する湯への水没および該湯からの露出を繰り返す喫水領域Ｋが湯に接触することを防止する湯接触防止カバー２８をタンク本体２１の天板２１ａに取り付けて設け、この湯接触防止カバー２８の電熱ヒータ２２との接合部２８ａを水密になるように固着させている。【選択図】図２
0003159408.tif 000002
【実用新案登録請求の範囲】
【請求項１】
給水弁を開いてタンク本体に供給された飲用水を電熱ヒータで加熱し、上限水位と下限水位との間に保って貯留している湯を、給湯弁を開いて供給する温水タンクにおいて、
少なくとも前記電熱ヒータにおける前記上限水位と前記下限水位との間を水位変動する湯への水没および該湯からの露出を繰り返す喫水領域が前記湯に接触することを防止する湯接触防止カバーを設けたことを特徴とする温水タンク。
【請求項２】
前記湯接触防止カバーは、前記タンク本体の天板に取り付けられていることを特徴とする請求項１に記載の温水タンク。
【請求項３】
前記湯接触防止カバーは、前記電熱ヒータ周囲を覆う湯接触防止パイプであることを特徴とする請求項１に記載の温水タンク。
【考案の詳細な説明】
【技術分野】
【０００１】
本考案は、カップ式自動販売機や給茶機などに備えられ、飲用水を貯留して加熱した湯を飲料調理部に供給する温水タンクに関する。
【背景技術】
【０００２】
カップ式自動販売機や給茶機などに備えられ、飲用水を貯留して加熱した湯を飲料調理部に供給する温水タンクが従来から知られている。例えば、特許文献１の図３には、焙煎されたコーヒー豆を貯蔵するコーヒー豆キャニスタ、コーヒー豆キャニスタから供給されたコーヒー豆を粉砕刃で所定の粒度に粉砕して挽き豆とするミル、ミルから供給された挽き豆と温水タンクの給湯弁を開いて給湯管を介して供給された高温の湯との混合液をペーパーフィルタで濾過してコーヒー成分を含むコーヒー液を抽出するコーヒーブリュア、砂糖やクリームを貯蔵する粉末原料キャニスタ、コーヒーブリュアで抽出されたコーヒー液に粉末原料キャニスタから供給された砂糖やクリーム、必要に応じて温水タンクから供給された高温の湯を混合してコーヒー飲料とするミキシングボウルなどを備えるカップ式自動販売機の飲料系統図が開示されている。
【０００３】
また、添付図４に示すように、コーヒーブリュアやミキシングボウルなどの飲料調理部に高温の湯を供給する温水タンク５０は、水道などから供給される飲用水をタンク本体２１の底部２１ｂに導いて給水口２４ａから放水して供給する給水管２４、この給水管２４の途中に設けられて弁を開閉して飲用水を供給する給水弁２３、温度センサ２７が検知している湯温度に基づいて貯留されている湯を加熱して所定温度に保つ電熱ヒータ２２、貯留されている湯を飲料調理部に導く給湯管２６、この給湯管２６の途中に設けられ、弁を開閉して湯を供給する給湯弁２５、タンク本体２１の天板２１ａに設けられ、タンク本体２１に貯留されている湯量の変化に連動して昇降するフロート２９の上下動を検知して水位信号を出力する高水位スイッチ２９ａ、低水位スイッチ２９ｂ、などから構成されている。
【０００４】
そして、飲用水（例えば、水道水）は給水弁２３が開かれると給水管２４の給水口２４ａからタンク本体２１の底部２１ｂに供給される。タンク本体２１の底部２１ｂに供給された飲用水は、電熱ヒータ２２が通電されることにより、温度センサ２７が上限温度設定値（例えば、９７℃）を検知するまで加熱昇温された高温の湯となって所定温度（例えば、９７℃〜９５℃）に保たれて貯留される。この温水タンク５０に貯留されている高温の湯は、コーヒーなどのホット飲料を調理するときに給湯弁２５が開かれると、給湯管２６からコーヒーブリュアやミキシングボウルなどの飲料調理部に供給されてホット飲料の調理に使用される。
【０００５】
このように、ホット飲料の調理が行われると、温水タンク５０に貯留されている高温の湯が給湯管２６から飲料調理部に供給される。そして、温水タンク５０に貯留されている湯量が減少して下限水位まで下がると、この水位変動に連動するフロート２９の下降によって低水位スイッチ２９ｂが下限水位信号を制御部（図示せず）に出力する。制御部は低水位スイッチ２９ｂから下限水位信号を受けると、給水弁２３を開き、飲用水を温水タンク５０に供給する。飲用水が供給されて湯量が上限水位まで上昇すると、水位変動に連動するフロート２９の上昇によって高水位スイッチ２９ａが上限水位信号を出力し、制御部は給水弁２３を閉じて給水を停止する。
【先行技術文献】
【特許文献】
【０００６】
【特許文献１】特開２００２−５６４５２号公報
【考案の概要】
【考案が解決しようとする課題】
【０００７】
しかしながら、カップ式自動販売機や給茶機の設置場所によっては、水道水にカルキ成分が多く含まれている場合がある。
そして、給湯弁２５が開かれて温水タンク５０に貯留されている高温の湯が飲料調理部に供給されて下限水位まで下がり、給水弁２３が開かれて飲用水（水道水）が供給されて貯留されている高温の湯が上限水位まで上昇する高温の湯の水位変動が繰り返されると、高温の湯への水没および高温の湯からの露出を繰り返す電熱ヒータ２２の喫水領域Ｋは乾燥と濡れ状態を繰り返すことになり、添付図４に示すように、水位変動する高温の湯の上限水位から下限水位の喫水面に接触する電熱ヒータ２２の喫水領域Ｋにカルキが付着するため、温水タンク５０を定期的に清掃する必要があるという課題があった。
【０００８】
本考案は、以上のような課題を解決するためになされたものであり、電熱ヒータのカルキ付着を防止して清掃頻度を低減させた温水タンクを提供することを目的とする。
【課題を解決するための手段】
【０００９】
請求項１記載の考案は、給水弁を開いてタンク本体に供給された飲用水を電熱ヒータで加熱し、上限水位と下限水位との間に保って貯留している湯を、給湯弁を開いて供給する温水タンクにおいて、
少なくとも前記電熱ヒータにおける前記上限水位と前記下限水位との間を水位変動する湯への水没および該湯からの露出を繰り返す喫水領域が前記湯に接触することを防止する湯接触防止カバーを設けたことを特徴とする温水タンクである。
【００１０】
請求項２記載の考案は、前記湯接触防止カバーは、前記タンク本体の天板に取り付けられていることを特徴とする請求項１に記載の温水タンクである。
請求項３記載の考案は、前記湯接触防止カバーは、前記電熱ヒータ周囲を覆う湯接触防止パイプであることを特徴とする請求項１に記載の温水タンクである。
【考案の効果】
【００１１】
本考案によれば、給水弁を開いてタンク本体に供給された飲用水を電熱ヒータで加熱し、上限水位と下限水位との間に保って貯留している湯を、給湯弁を開いて供給する温水タンクにおいて、少なくとも前記電熱ヒータにおける前記上限水位と前記下限水位との間を水位変動する湯への水没および該湯からの露出を繰り返す喫水領域が前記湯に接触することを防止する湯接触防止カバーを設けている。
【００１２】
また、前記湯接触防止カバーは、前記タンク本体の天板に取り付けられている。
さらに、前記湯接触防止カバーは、前記電熱ヒータ周囲を覆う湯接触防止パイプである。
【００１３】
このように構成しているので、電熱ヒータのカルキ付着を防止して清掃頻度を低減させた温水タンクを提供することができる。
【図面の簡単な説明】
【００１４】
【図１】本考案の実施の形態における温水タンクを備えたカップ式自動販売機の飲料系統図
【図２】本考案の実施の形態１における温水タンクの構成断面図
【図３】本考案の実施の形態２における温水タンクの構成断面図
【図４】従来における温水タンクの構成断面図
【考案を実施するための形態】
【００１５】
以下、添付図面を参照して、本考案における温水タンクの実施の形態について詳細に説明する。なお、従来と同一構成に関しては同一符号を用いる。
（実施の形態１）
図１は本考案の実施の形態における温水タンクを備えたカップ式自動販売機の飲料系統図であり、図２は本考案の実施の形態１における温水タンクの構成断面図である。ここで例示するカップ式自動販売機１は、貨幣の投入後に利用者の選択に応じてホット飲料もしくはコールド飲料を調理し、これをベンドステージ４７に載置されたカップＣに注ぎ入れるものである。その機内には、水リザーバ１２、冷却水槽１５、カーボネータ１８、オーガ式製氷機１９、温水タンク２０、コーヒー豆キャニスタ４１、ミル４２、コーヒーブリュア（コーヒー抽出装置）４３、粉末原料キャニスタ４４、ミキシングボウル４５、などを備えている。
【００１６】
水リザーバ１２は、カーボネータ１８やオーガ式製氷機１９、温水タンク２０に飲用水（水道水）を供給するためのもので、水入口弁１１を開くと飲用水が水リザーバ１２に貯えられ、水ポンプ１３を運転して給水弁２３を開くと飲用水が給水管２４から温水タンク２０に供給される。
【００１７】
カーボネータ１８は、冷却水槽１５に浸漬してあり、水リザーバ１２から供給された飲用水に炭酸ガスボンベ１６から供給された炭酸ガスを溶解して炭酸水とする。シロップタンク１７は、炭酸ガスボンベ１６から供給される炭酸ガスの圧力でシロップをノズル４６からカップＣに注ぎ入れる。
【００１８】
オーガ式製氷機１９は、製氷部と貯氷庫とを有し、水リザーバ１２から供給された飲用水を製氷部で製氷して貯氷庫で貯蔵し、アイス飲料を販売するときに貯氷庫に貯蔵している氷をカップＣに供給する。
【００１９】
温水タンク２０は、図２に示すように、湯を貯留するタンク本体２１、貯留している湯を加熱して所定温度（例えば、９７℃〜９５℃）に保つ電熱ヒータ２２（例えば、１０００Ｗ）、水ポンプ１３を運転して給水弁２３を開くと水リザーバ１２から供給される飲用水をタンク本体２１の底部２１ｂに導いて給水口２４ａから放水して供給する給水管２４、タンク本体２１の上部に設けられて給湯弁２５を開くと貯留している湯をコーヒーブリュア４３やミキシングボウル４５などの飲料調理部に導いて供給する給湯管２６、貯留している湯温度を検知して温度信号を出力する温度センサ２７が設けられている。
【００２０】
さらに、電熱ヒータ２２周囲には、温水タンク２０に貯留されている湯が電熱ヒータ２２の喫水領域Ｋに接触することを防止する湯接触防止カバー２８をタンク本体２１の天板２１ａに取り付けている。この湯接触防止カバー２８は、湯の上限水位の寸法Ｔ１上方から下限水位の寸法Ｔ２下方までの範囲に設け、電熱ヒータ２２との接合部２８ａを水密になるように固着させている。また、タンク本体２１の天板２１ａには、貯留されている湯量の変化に連動して昇降するフロート２９、フロート２９の昇降に連動して動作し、湯量が上限水位まで上昇すると上限水位信号を出力する高水位スイッチ２９ａ、湯量が減少して下限水位まで下がると下限水位信号を出力する低水位スイッチ２９ｂを設けている。
【００２１】
そして、利用者によりカップ式自動販売機１に貨幣が投入され、ホット飲料の選択ボタン、例えばホットコーヒー飲料の選択ボタンが押されると、コーヒー豆キャニスタ４１がコーヒー豆をミル４２に供給し、ミル４２で挽かれた挽き豆がコーヒーブリュア４３に供給される。そして給湯弁２５が開かれると、温水タンク２０に貯留されている高温の湯が給湯管２６を介してコーヒーブリュア４３内の挽き豆に供給される。コーヒーブリュア４３内では挽き豆と高温の湯の混合液となり、この混合液をペーパーフィルタで濾過するとコーヒー成分を含むコーヒー液が抽出される。コーヒーブリュア４３で抽出されたコーヒー液はミキシングボウル４５に供給され、ミキシングボウル４５内では粉末原料キャニスタ４４から供給された砂糖やクリームと混合されてコーヒー飲料となり、ベンドステージ４７に載置されたカップＣにノズル４６から注がれ、カップ式自動販売機１の利用者に引き渡される。
【００２２】
このように、ホット飲料の調理が行われると、温水タンク２０に貯留されている高温の湯が給湯管２６からコーヒーブリュア４３やミキシングボウル４５などの飲料調理部に供給される。そして、温水タンク２０に貯留されている湯量が減少して下限水位まで下がると、この水位変動に連動するフロート２９の下降によって低水位スイッチ２９ｂが下限水位信号を制御部に出力する。制御部は低水位スイッチ２９ｂから下限水位信号を受けると、水ポンプ１３を運転して給水弁２３を開き、飲用水を温水タンク２０に供給する。飲用水が供給されて上限水位まで上昇すると、水位変動に連動するフロート２９の上昇によって高水位スイッチ２９ａが上限水位信号を出力し、制御部は水ポンプ１３の運転を停止して給水弁２３を閉じて給水を停止する。
【００２３】
上述したように、本考案の実施の形態１における温水タンク２０によれば、温水タンク２０に貯留されている高温の湯がコーヒーブリュア４３やミキシングボウル４５などの飲料調理部に供給されて下限水位まで下がると水ポンプ１３を運転して給水弁２３が開かれて飲用水が供給されて貯留されている高温の湯が上限水位まで上昇する高温の湯の水位変動が繰り返されても、温水タンク２０に貯留されている高温の湯の喫水面は湯接触防止カバー２８の外周面とのみ接触して乾燥と濡れ状態を繰り返すことにより、電熱ヒータ２２の喫水領域Ｋが高温の湯の喫水面と直接接触することがなくなるので、電熱ヒータ２２のカルキ付着を防止して清掃頻度を低減させた温水タンク２０を提供することが可能となる。
（実施の形態２）
つぎに、本考案の実施の形態２における温水タンク３０について図３を参照して説明する。なお、実施の形態１と同一構成に関しては同一符号を用いる。実施の形態１では、給水弁２３を開いてタンク本体２１に供給された飲用水を電熱ヒータ２２で加熱し、上限水位と下限水位との間に保って貯留している湯を、給湯弁２５を開いて供給する温水タンク２０において、少なくとも電熱ヒータ２２における上限水位と下限水位との間を水位変動する湯への水没および該湯からの露出を繰り返す喫水領域Ｋが湯に接触することを防止する湯接触防止カバー２８をタンク本体２１の天板２１ａに取り付けて設け、この湯接触防止カバー２８の電熱ヒータ２２との接合部２８ａを水密になるように固着させているが、この実施の形態２の温水タンク３０では、電熱ヒータ２２の少なくとも喫水領域Ｋの周囲を湯接触防止パイプ３１で覆い、その端部の電熱ヒータ２２との接合部３１ａを水密になるように固着させている。この実施の形態２においても、温水タンク３０に貯留されている高温の湯の水位変動が繰り返されても、高温の湯の喫水面は湯接触防止パイプ３１の外周面とのみ接触して乾燥と濡れ状態を繰り返すことにより、電熱ヒータ２２の喫水領域Ｋが高温の湯の喫水面と直接接触することがなくなるので、電熱ヒータ２２のカルキ付着を防止して清掃頻度を低減させた温水タンク３０を提供することが可能となる。
【符号の説明】
【００２４】
１      カップ式自動販売機
１２      水リザーバ
２０      温水タンク
２１      タンク本体
２１ａ    天板
２２      電熱ヒータ
２３      給水弁
２４      給水管
２５      給湯弁
２６      給湯管
２７      温度センサ
２８      湯接触防止カバー
２９      フロート
３０      温水タンク
３１      湯接触防止パイプ
４３      コーヒーブリュア
４５      ミキシングボウル
５０      温水タンク
Ｋ      喫水領域
【図１】
0003159408.tif 000003
【図２】
0003159408.tif 000004
【図３】
0003159408.tif 000005
【図４】
0003159408.tif 000006